(57)【特許請求の範囲】
【請求項１】
集塵袋と台紙から成る紙パックを収容する集塵室と、
この集塵室の上部開口部を開閉自在に覆う蓋と、
前記集塵室内に配置され、前記紙パックの台紙が上方から下方に向かって挿入されて少なくとも前記台紙の両側部を支持する紙パック挿入ガイドと、
前記集塵室を収容する下ケースに設けられ、前記紙パック挿入ガイドに挿入された台紙の下端が到達して停止する部位であり、前記台紙の回動支点となる凹部と、
前記集塵室の前壁のホース接続口に設けられたシールパッキンと、
前記台紙が外力により前記凹部を回動支点として回動し、さらに外力により前記シールパッキンに押しつけられた状態となる位置で、前記台紙を保持する紙パック固定部品とを備え、
前記蓋および前記紙パック固定部品の少なくとも一方は、突起部を備え、
前記紙パックの台紙に前記紙パック固定部品の所定部位とは異なる部位が掛かった半掛かり状態において、前記突起部は前記蓋が閉じるのを阻止することを特徴とする電気掃除機。
【請求項２】
前記紙パック挿入ガイドは、前端がほぼ鉛直に立設し、後端が、この後端と前記前端の間の距離が下部から上方へ進むに連れて徐々に大きくなる板状の２つの側面部と、この両側面部の前端同士を接続する水平部と、各側面部の後端から前記水平部と対向するようにほぼ垂直に延設された案内レールとから構成されることを特徴とする請求項１に記載の電気掃除機。
【請求項３】
前記紙パック固定部品は、前記半掛かり状態において、前記蓋が閉じる前に前記蓋の少なくとも一部と当接する突起部を備えたことを特徴とする請求項１または請求項２に記載の電気掃除機。
【請求項４】
前記蓋は、前記半掛かり状態において、前記蓋が閉じる前に前記紙パック固定部品と当接する突起部を備えたことを特徴とする請求項１または請求項２に記載の電気掃除機。
【請求項５】
前記紙パック固定部品は、前記半掛かり状態において、上方に突出する第１の突起部を備え、
前記蓋は、下面に突出する第２の突起部を備え、
前記半掛かり状態において、前記蓋が閉じる前に前記第１の突起部が前記第２の突起部と当接することを特徴とする請求項１または請求項２に記載の電気掃除機。
【請求項６】
吸引動力部と、
操作部のスイッチと直列に接続されたリードスイッチと、
前記蓋に設けられ、前記蓋を閉じた時に前記リードスイッチをＯＮさせるリブを備え、
蓋を閉じた状態で、前記操作部のスイッチをＯＮしたときに前記吸引動力部に通電させることを特徴とする請求項１〜５のいずれかに記載の電気掃除機。
【発明の詳細な説明】
【技術分野】
【０００１】
本発明は、電気掃除機に関するものであり、特に集塵用紙パックの台紙の半掛かり検知手段に関する。
【背景技術】
【０００２】
近年、電気掃除機本体の集塵室内に集塵袋である紙パックをセットする際に、紙パックの台紙（口枠）の挿入を案内するための台紙案内レールを両側に有する台紙支持板を設けることで挿入性を改善する傾向にある。紙パックを本体集塵室内にセットする際に、紙パックがない場合や紙パック台紙が紙パック固定部品に掛かっていない場合は、紙パック固定部品にお忘れ防止構造が働き、蓋が閉じない（蓋と本体部に隙間が発生する）ように構成され、合わせて、モーターの電源も入らない構造となっている。（例えば、特許文献１参照）。
【先行技術文献】
【特許文献】
【０００３】
【特許文献１】特開平９−２９９２９２号公報
【発明の概要】
【発明が解決しようとする課題】
【０００４】
しかしながら、特許文献１に記載された従来の電気掃除機では、紙パックを本体集塵室内にセットする際に、紙パック固定部品の爪部（以下、引っ掛け部と呼ぶこともある）が、紙パック台紙の上面に載ってしまうケース（以下、この状態を半掛かり状態と呼ぶことがある）があり、このような場合においても蓋が正常に閉まってしまい、また運転ができてしまう。この場合、台紙がシールパッキンに十分押し付けられないため、台紙とシールパッキンとの密閉が不十分な状態になる。この半掛かり状態でユーザーが電気掃除機の電源スイッチをＯＮして運転を開始すると、外部からホース接続口を介して流入する含塵空気の圧力により密閉が不十分な台紙とシールパッキンとの間に隙間が発生する。含塵空気の一部はこの隙間を通過して集塵室内に漏れ出して、集塵室内の各部品に塵埃が堆積し、さらに吸引動作部に吸引されることで吸引動作部にも塵埃が堆積してしまうという問題がある。また、含塵空気の一部が集塵室内に漏れ出す（以下、これをエアー漏れと呼ぶことがある）ことにより、集塵袋を介して空気中の塵埃を集塵する通常の流れの吸い込み性能が低下するという問題がある。
また、製品使用中に、振動や落下等により紙パックの台紙が紙パック固定部品の引っ掛け部との係合位置からずれたり、半掛かり状態となったりすることがあり、この場合においてもエアー漏れによる吸い込み性能の低下やシールパッキンとの隙間発生による集塵室内および吸引動作部への塵埃の堆積などの問題が発生する。
【０００５】
本発明は、このような問題点を解決するために為されたものであり、紙パックを本体集塵室にセットする際、あるいは振動や落下などにより、紙パックの台紙が固定部品の嵌合引っ掛け部との係合位置からずれたり、半掛かり状態となったりしたとき、これをユーザーに認識させて電気掃除機の誤操作による集塵室内および吸引動作部への塵埃の堆積を未然に防止することが可能な電気掃除機を提供することを目的としている。
【課題を解決するための手段】
【０００６】
本発明に係る電気掃除機は、集塵袋と台紙から成る紙パックを収容する集塵室と、集塵室の上部開口部を開閉自在に覆う蓋と、集塵室内に配置され、紙パックの台紙が上方から下方に向かって挿入されて少なくとも台紙の両側部を支持する紙パック挿入ガイドと、集塵室を収容する下ケースに設けられ、紙パック挿入ガイドに挿入された台紙の下端が到達して停止する部位であり、台紙の回動支点となる凹部と、集塵室の前壁のホース接続口に設けられたシールパッキンと、台紙が外力により凹部を回動支点として回動し、さらに外力によりシールパッキンに押しつけられた状態となる位置で、台紙の上部を保持する紙パック固定部品とを備え、蓋および紙パック固定部品の少なくとも一方は、突起部を備え、紙パックの台紙に紙パック固定部品の所定部位とは異なる部位が掛かった半掛かり状態において、突起部は蓋が閉じるのを阻止するものである。
【発明の効果】
【０００７】
本発明によれば、紙パックを本体集塵室にセットする際に紙パック半掛かりの状態になった場合、蓋が閉じないので、ユーザーは、蓋が閉じない原因を調べることにより、上記紙パック半掛かりの状態であることを確認することができる。そして、紙パックを手動で正規の位置にセットし直して蓋を閉じることにより、台紙とシールパッキンとの密閉が確保できる。このため、上記紙パック半掛かりの状態を維持したまま誤って電気掃除機の運転スイッチを投入してしまうという誤操作による集塵室内および吸引動作部への塵埃の堆積を未然に回避できる。
【図面の簡単な説明】
【０００８】
【図１】本発明に係る電気掃除機の実施の形態１を示す外観斜視図である。
【図２】図１に示す電気掃除機本体５の外観図である。
【図３】本発明に係る電気掃除機の電気掃除機本体５の構成を示す概略分解斜視図である。
【図４】本発明に係る電気掃除機の電気掃除機本体５の詳細分解斜視図である。
【図５】本発明に係る電気掃除機の電気掃除機本体５の構成を示す側断面図（その１）である。
【図６】本発明に係る電気掃除機の電気掃除機本体５の構成を示す側断面図（その２）である。
【図７】図５の紙パック挿入ガイドの構成を示す図である。
【図８】本発明に係る電気掃除機における紙パック半掛かりの状態を検知する紙パック半掛かり検知手段８４の構成図である。
【図９】本発明に係る電気掃除機における紙パック半掛かりの状態を検知する紙パック半掛かり検知手段８４の別の構成図である。
【図１０】本発明に係る電気掃除機における紙パック半掛かりの状態を検知する紙パック半掛かり検知手段８４のさらに別の構成図である。
【図１１】図８の紙パック半掛かり検知手段８４にリードスイッチによる吸引動力部への給電制御を示す説明図である。
【発明を実施するための形態】
【０００９】
実施の形態１.
図１は本発明に係る電気掃除機の実施の形態１を示す外観斜視図である。図１に示すように電気掃除機１００は、吸込具１と、吸引パイプ２と、接続パイプ３と、ホース４と、掃除機本体５とから構成されている。吸込具１は床面上の塵埃及び含塵空気を吸い込む。吸込具１の出口側には真直な円筒状の吸引パイプ２の一端が接続されている。吸引パイプ２の他端には、電気掃除機１００の運転を制御する動作スイッチ２ａが設置された取手が設けられており、中途にて若干折れ曲がった接続パイプ３の一端が接続されている。接続パイプ３の他端には、可撓性を有する蛇腹状のホース４の一端が接続されている。さらに、ホース４の他端には、掃除機本体５が接続されている。掃除機本体５は紙パック式およびサイクロン方式のいずれも共用可能な構造を有していることを特徴としており、図示しない電源コードを介して外部電源に接続され、動作スイッチ２ａにより通電されることで集塵動作を行う。吸込具１、吸引パイプ２、接続パイプ３およびホース４は、含塵空気を掃除機本体５の外から内部に流入させるための流通路の一部を構成する。
【００１０】
図２は図１に示す電気掃除機本体５の外観図であり、蓋を開けた状態を示している。図２（ａ）は、斜視図であり、紙パック６を装着した直後の状態を示しており、台紙のみが見えている。また、図２（ｂ）は、正面図であり、図２（ｃ）は側面図である。
【００１１】
また、図３は、本発明に係る電気掃除機の電気掃除機本体５の構成を示す概略分解斜視図であり、図４は本発明に係る電気掃除機の電気掃除機本体５の詳細分解斜視図である。
次に、電気掃除機本体５の構成を図２〜図４を用いて説明する。
図２〜図４に示すように、電気掃除機１００の掃除機本体５は、蓋５１と、上ケース５２と、下ケース５３と、下ケース５３に取り付けられ、電気掃除機本体５を手で持ち運びができるようにする為の取手５４と、下ケース５３に取り付けられた１つの前輪５５と、径が前輪より大きく、下ケース５３を回転移動可能なように支持する２つの後輪５６とを備えている。
【００１２】
次に、下ケース５３の内部構成について説明する。
図３において、左側を前方と呼び、右側を後方と呼ぶ。下ケース５３内の前方には集塵室５３１が設けられ、後方には吸引動力部５３２が設けられている。また、集塵室５３１と吸引動力部５３２との間には、セパレータ５３３が設けられており、ここにＨＥＰＡフィルターなどの微細塵を捕捉するフィルターが設置される。また、下ケース５３の前方にはホース４と接続する開口部であるホース接続口が集塵室５３１と連通する形で形成されており、このホース接続口はゴムなどの弾性部材から成るシールパッキン５３４で覆われている。
吸引動力部５３２は例えばモーターで構成されており、モーターに通電することで、塵埃を含む外気を吸込具１から流通路を介して集塵室５３１内に設けられた集塵袋内に吸引する。その他、掃除機本体５には、制御基板５３５、表示部、コードリール部５３６、排気口などが設けられている。
【００１３】
掃除機本体５の外から流入した含塵空気は、ホース接続口を介して、紙パック６を通過し、この紙パック６にて濾過され、濾過された空気はセパレータ５３３に設けられたＨＥＰＡフィルターなどのフィルター部と、吸引動力部５３２と、図示していない排気口を順に経て、掃除機本体５の外に排出されるよう構成されている。
【００１４】
次に、集塵室５３１の内部構成について説明する。図５は、本発明に係る電気掃除機の電気掃除機本体５の構成を示す側断面図であり、同時に紙パック６を紙パック挿入ガイド８２に挿入した直後の状態を示している。図５（ａ）は電気掃除機の電気掃除機本体５の全体構成を示す側断面図、図５（ｂ）は図５（ａ）中の丸印で示された部位の要部を拡大した図である。また、図６は、本発明に係る電気掃除機の電気掃除機本体５の構成を示す側断面図であり、同時に紙パック６を紙パック固定部品８１に装着した状態を示している。図６（ａ）は電気掃除機の電気掃除機本体５の全体構成を示す側断面図、図６（ｂ）は図６（ａ）中の丸印で示された部位の要部を拡大した図である。
図５（ａ）に示すように、集塵室５３１の内部には、紙パック固定部品８１と紙パック挿入ガイド８２（前述の台紙支持板に相当するもの）が設けられている。
紙パック固定部品８１は紙パック６を後述の所定位置で固定するものであり、図５（ｂ）に示すようにほぼ中央部の下端と紙パック挿入ガイド８２の水平部８２２の上端部に回動軸８１１を設け、この回動軸８１１を支点として上下方向に回動自在に支持され、後端部８１２の下端は断面形状が外側に凸のほぼ弧状の曲面で構成されている。また、この後端部８１２の下端には爪部８１３が形成されており、爪部８１３と回動軸８１１との間に紙パック６の台紙６１の上端部と嵌合する凹部８１４が形成されている。
【００１５】
紙パック固定部品８１は、紙パック６が装着されていない時は、図５（ｂ）に示すように紙パック固定部品８１の後端部側はやや下方に回動して下向きに垂れ下がるように構成されている。これを実現させるためには、紙パック固定部品８１の重心が回動軸８１１よりも後方になるように構成しても良いし、後方へ付勢力を与えるバネを用いても良い。
なお、この状態において、紙パック固定部品８１に設けられた突起部８１５が最も高くなるように位置づけられている。そして、ユーザーが蓋５１を閉じようとしても、蓋５１が完全に閉じる前に蓋５１に設けられたリブ５１１と紙パック固定部品８１の突起部８１５が当接するため、蓋５１は完全に閉じない。これにより、ユーザーが蓋が閉じない原因を調べることで、紙パック６が紙パック固定部品８１に未装着状態であることを認識できる。即ち、紙パック固定部品８１の突起部８１５と蓋５１のリブ５１１は紙パック未装着を検出する手段である。
また、下ケース５３の底部に設けられたリブ凹部８３は、紙パック６が紙パック挿入ガイド８２に沿って挿入された時に最終的に台紙６１の下端が行き着き、且つ停止する場所であり、このリブ凹部８３を回動支点として台紙６１の上部が手動で前後方向に回動可能となる。
【００１６】
図７は図５の紙パック挿入ガイドの構成を示す図であり、同時に紙パック６のセット手順を示している。図７に示すように、紙パック挿入ガイド８２は、前端がほぼ鉛直に立設し、後端が上部から下方へ進むに連れて徐々に幅が狭くなる傾斜を有する台形状の２つの側面部８２１と、この両側面部８２１、８２１の前端同士を接続する梁状の水平部８２２と、各側面部８２１、８２１の後端から水平部８２２と対向するようにほぼ垂直に延設された案内レール８２３、８２３とから構成されている。紙パック挿入ガイド８２を水平面で切断した断面形状は略Ｃ字状を呈する。
【００１７】
次に、紙パック６のセット手順について図５〜図７を用いて説明する。
紙パック６が装着されていない状態において、紙パック６を集塵室５３１内にセットする場合、図７（ａ）に示すように、まず、紙パック６を紙パック挿入ガイド８２の上方から紙パック挿入ガイド８２に向けて挿入する。この場合、紙パック挿入ガイド８２の上部の側面部８２１の幅が最も大きいため、挿入口の開口面積が大きく挿入し易い。また、台紙６１が挿入するとき、台紙６１の下端及び台紙６１の下面の両側部を両端の案内レール８２３に載せ、案内レール８２３に沿って下方へ滑り込ませるようにすれば、挿入がスムーズになる。
なお、図７では台紙６１のみしか図示していないが、実際には台紙６１と集塵袋６２が一体となった紙パック６が挿入される。集塵袋６２も一緒に図示すると、説明が難しくなるため、便宜上台紙６１のみを図示している。
このように紙パック６の台紙６１の両端を案内レール８２３に沿わせて挿入することにより、台紙６１の下端は下方への挿入が進むに連れて前方へ移動していく。従って、台紙６１の挿入が進むに連れて台紙６１の重心は次第に案内レール８２３側に移動するため、台紙６１は案内レール８２３側に倒れて行く。そして、意図的に台紙の上部を紙パック挿入ガイド８２内の最前部へ持って行かない限り、最終的に台紙６１を案内レール８２３上に載せた状態で挿入できる。
このため、台紙６１の上端部がその下端部よりも多少前向きの傾斜状態で台紙６１を紙パック挿入ガイド８２に挿入しても、上記の倒れ込み機構により支障なく挿入できるので、台紙の挿入傾斜角度の自由度が大きくなり、挿入操作が容易である。
【００１８】
ここで、重要なのは、従来例と異なり、バネを使用していないことである。バネを使用しなくても紙パックの挿入が容易であるだけでなく、バネを使用しないので、その分掃除機本体５の重量が軽くなる。また従来よりもバネの占有体積分紙パックの集塵容量が大きくなるというメリットがある。
次に、台紙６１の下端が案内レール８２３の下端を通り過ぎて下ケース５３の底部に設けられたリブのリブ凹部８３と当接すると、台紙６１の移動はそこで停止して、台紙６１の挿入は完了する。この時の状態が図５（ａ）、（ｂ）及び図７（ｂ）に示されている。
【００１９】
次に、手動で台紙６１の上部を前方に押す。これにより、紙パック６は台紙６１の下端が位置するリブ凹部８３を支点として前方へ回動し、台紙６１の上端部が紙パック固定部品８１の後端部８１２に当接する。さらに手動で台紙６１の上部を前方に押し込むと、後端部８１２は断面形状が外側に凸のほぼ弧状の曲面で構成されているため、紙パック固定部品８１の後端部８１２は台紙６１の上端部によって回動軸８１１を中心として上方へ持ち上げられる。そして、押し込みがさらに進んで紙パック固定部品８１の爪部８１３が台紙６１の上端部を載り超えると、紙パック固定部品８１の凹部８１４に台紙６１の上端部が嵌合することで紙パックは固定され、セットが完了する。この時、図４及び図６（ａ）に示すシールパッキン５３４に台紙６１を押し付けた状態で紙パック固定部品８１が台紙６１の上部を保持し、図７に示す台紙６１の穴６１Ｈとホース接続口５３４Ｈが一致するように位置決めされる。この時の状態が図６（ａ）、（ｂ）及び図７（ｃ）に示されている。
これにより、台紙６１の穴６１Ｈとホース接続口５３４Ｈは密着状態で連通されるため、ホース接続口５３４Ｈから吸引した塵はすべて集塵袋６２内に吸入され、それ以外に漏れることはなくなる。
なお、上記の例では、側面部８２１の形状をほぼ台形状としたが、これに限る必要はない。例えば下に凸のＣ字状曲線（所謂滑り台の描く曲線）でも良い。
【００２０】
次に、紙パック半掛かりの状態を検知する手段について説明する。
図８は、本発明に係る電気掃除機の実施の形態１を示す紙パック半掛かりの状態を検知する紙パック半掛かり検知手段８４の構成図である。図８（ａ）は電気掃除機本体５内における紙パック半掛かり検知手段８４の配置位置を示す図であり、図中、図５と同符号は同一または相当部分を示す。また、丸印で囲まれた部分が紙パック半掛かり検知手段８４であり、図８（ｂ）は図８（ａ）中の紙パック半掛かり検知手段８４の要部拡大図である。
最初に正常な紙パックセットについて説明し、続いて紙パック半掛かりの状態について説明する。
（１）正常セットの場合
図５（ｂ）に示すように、ユーザーが紙パック６の台紙６１を手動で紙パック挿入ガイド８２に挿入した後、さらに台紙６１を押し込むとき、手動で台紙６１の上部を前方に押す。これにより、紙パック６は台紙６１の下端が位置するリブ凹部８３を支点として前方へ回動し、台紙６１の上端部が紙パック固定部品８１の後端部８１２に当接する。さらに手動で台紙６１の上部を前方に押し込むと、後端部８１２は断面形状が外側に凸のほぼ弧状の曲面で構成されているため、紙パック固定部品８１の後端部８１２は台紙６１の上端部によって回動軸８１１を中心として上方へ持ち上げられる。そして、押し込みがさらに進んで紙パック固定部品８１の爪部８１３が台紙６１の上端部を載り超えると、紙パック固定部品８１の凹部８１４に台紙６１の上端部が嵌合することで紙パックは固定され、セットが正常に完了し、この後蓋５１を閉じれば、蓋を完全に閉じることができる。
【００２１】
（２）紙パック半掛かり状態
また、ユーザーが上記（１）と同様に操作して、図８（ｂ）に示すように紙パック固定部品８１の爪部８１３が台紙６１の上端部を載り超える前に手を放した場合、紙パック固定部品８１の爪部８１３が台紙６１の上端部に載り上げた状態で停止する。これが紙パック半掛かり状態である。この時、ユーザーが誤って、蓋５１を閉じようとすると、紙パック半掛かり検知手段８４がこれを検知して蓋５１が完全に閉じるのを禁止する。
次に、紙パック半掛かり検知手段８４の動作を図８（ｂ）を用いて具体的に説明する。
紙パック半掛かり状態において、紙パック固定部品８１の突起部８１６は上方に高くなるように位置づけられる。この紙パック半掛かり状態において、ユーザーが紙パック半掛かり状態であることを知らずに誤って蓋５１を閉じようとすると、蓋５１が完全に閉じる前に、蓋５１に設けられたリブ５１１の先端が紙パック固定部品８１の突起部８１６と当接する。従って、紙パック固定部品８１の突起部８１６とリブ５１１の当接による抵抗力が発生するため、ユーザーは、これ以上の力を加えない限り、蓋を閉じることができなくなる。なお、そのような力を加えれば、蓋及び紙パック固定部品８１の破壊を招くことになる。
【００２２】
このように、蓋が閉まらなくなるので、ユーザーは、何らかの不具合が発生したことを認識し、蓋５１を開けたり閉じたり（このときは完全に閉じる前に当接した位置で停止する）しながら、不具合の原因を調査する。この調査の結果、不具合の原因は紙パック半掛かり状態であることが判明する。そこで、紙パック固定部品の上端部を手動でさらに押し込むことで、紙パック固定部品８１の爪部８１３が台紙６１の上端部を載り超える。これにより、紙パック固定部品８１の凹部８１４に台紙６１の上端部が嵌合するので、紙パック半掛かり状態の不具合が解決でき、ユーザーは確実に蓋５１を閉じることができる。
【００２３】
以上のように、紙パック半掛かり状態の不具合発生時には、紙パック半掛かり検知手段８４がこれを検知して蓋５１が完全に閉じるのを禁止するので、ユーザーは、蓋が閉じない原因を調べることにより、上記紙パック半掛かりの状態であることを確認することができる。そして、紙パックを手動で正規の位置にセットし直して蓋を閉じることにより、台紙とシールパッキンとの密閉が確保できる。このため、上記紙パック半掛かりの状態を維持したまま誤って電気掃除機の運転スイッチを投入してしまうという誤操作による集塵室内および吸引動作部への塵埃の堆積を未然に回避できる。
【００２４】
上記の例では、紙パック半掛かり検知手段８４を紙パック固定手段８１の突起部８１６と蓋５１の設けられたリブ５１１とによって構成した。しかしながら、これに限る必要はない。例えば、図９に示すように、紙パック固定手段８１にのみ突起部８１６よりも高さの高い突起部８１７を設けて、蓋５１にはリブを設けないようにしても良い。この場合も上記と同様の効果を奏する。
また、図１０に示すように、蓋５１にのみリブ５１１よりも長いリブ５１２を設けて、紙パック固定手段８１には突起部を設けないようにしても良い。この場合も上記と同様の効果を奏する。
【００２５】
さらに、図１１（ａ）に示すように、蓋５１にリードスイッチ用リブ５１３を設けて蓋を閉じた時に、リードスイッチ９１がＯＮするように構成する。また、蓋を閉じることでリードスイッチ９１がＯＮし、さらに、図１１（ｂ）に示すように、電気掃除機の操作部に設けられた動作スイッチ２ａをＯＮした時に、交流電源１０１から吸引動力部５３２に給電するように構成すれば、紙パック半掛かり状態においては、蓋５１が閉じないため、リードスイッチ９１はＯＦＦとなり、ユーザーが電気掃除機の動作スイッチ２ａを投入しても、吸引動力部５３２に給電されないため、電気掃除機は動作しない。従って、誤って、紙パック６の装着をし忘れて電気掃除機を動作させようとしても、電気掃除機が動作しないため、誤操作により含塵空気が集塵室内に吸引されることで集塵室内が汚れることを回避できる。また、ユーザーが掃除機が動作しない原因を探索することで、紙パック半掛かり状態を確認でき、紙パック６を装着し直すように対応処置を施すことができる。
【００２６】
なお、リードスイッチ９１がＯＮしたときに図示しない表示部に紙パック半掛かり状態である旨を警報出力させて、ユーザーの注意を喚起させるように構成しても良い。
なお、紙パック６が集塵室５３１内に正常に装着された場合には、紙パック固定部品８１が起き上がるので、突起部８１６が後方へ移動する。従って、蓋５１を閉じるときには、蓋５１に設けられたリブ５１１と紙パック固定部品８１の突起部８１６は当接しないため、蓋５１は問題なく閉じ、蓋５１が閉じたとき、リードスイッチ９１もリードスイッチ用リブ５１２の押圧力によってＯＮするので、掃除をする際に、電気掃除機１００の動作スイッチ２ａを投入したら、吸引動力部５３２への通電が正常に行われて、掃除が可能になる。
なお、図１１の構成は図８の構成に適用したが、図９、図１０に適用しても良いことは言うまでもない。
【符号の説明】
【００２７】
１  吸込具、２  吸引パイプ、２ａ  動作スイッチ、３  接続パイプ、４  ホース、５  掃除機本体、６  紙パック、７Ｈ  開口部、５１  蓋、５２  上ケース、５３  下ケース、５４  取手、５５  前輪、５６  後輪、６１  台紙、６１Ｈ  穴、６２  集塵袋、８１  紙パック固定部品、８２  紙パック挿入ガイド、８３  リブ凹部、８４  紙パック半掛かり検知手段、１００  電気掃除機、５１１  リブ、５１２  リブ、５３１  集塵室、５３２  吸引動力部、５３３  セパレータ、５３４  シールパッキン、５３４Ｈ  ホース接続口、５３５  制御基板、５３６  コードリール部、８１１  回動軸、８１２  後端部、８１３  爪部、８１４  凹部、８１５  突起部、８１６  突起部、８１７  突起部、８２１  側面部、８２２  水平部、８２３  案内レール、８２４  凹部。
【図１】
0005499887.tif 000002
【図２】
0005499887.tif 000003
【図３】
0005499887.tif 000004
【図４】
0005499887.tif 000005
【図５】
0005499887.tif 000006
【図６】
0005499887.tif 000007
【図７】
0005499887.tif 000008
【図８】
0005499887.tif 000009
【図９】
0005499887.tif 000010
【図１０】
0005499887.tif 000011
【図１１】
0005499887.tif 000012